(57)【特許請求の範囲】
【請求項１】
後頭部受面部と該後頭部受面部を挟んで左右に位置する側頭部受面部の外周に外周強度部を有し、少なくとも前記後頭部受面部及び前記側頭部受面部に設けた貫通口により通気構造を有する受本体と、
前記受本体に対峙するベース本体と、
前記側頭部受面部が横臥時適合高さに保持されるように前記受本体の前記外周強度部を前記ベース本体に固定する支持脚と、
前記後頭部受面部に頭部が載置した際は前記後頭部受面部の中心に対し半径方向へ伸長して前記横臥時適合高さよりも低い仰臥時適合高さに沈み変形できるよう前記後頭部受面部に備えた中央部伸縮構造と、前記後頭部受面部の沈み変形により圧縮又は伸長され、前記後頭部受面部から頭部が退去した際は伸長又は縮小することにより前記後頭部受面部を沈み変形する前の状態に戻す中央部復元バネと、
前記側頭部受面部に頭部が載置した際は前記側頭部受面部の中心に対し半径方向へ伸長して前記横臥時適合高さに沈み変形できるよう前記側頭部受面部に備えた外側部伸縮構造と、前記側頭部受面部の沈み変形により圧縮又は伸長され、前記側頭部受面部から頭部が退去した際は伸長又は縮小することにより前記側頭部受面部を沈み変形する前の状態に戻す外側部復元バネと、
を有することを特徴とする枕。
【請求項２】
前記中央部伸縮構造及び前記外側部伸縮構造は、前記後頭部受面部及び前記側頭部受面部の中心を中心に環状に上方へ湾曲して突出した曲り部、又は、前記中心を中心に環状に上下へ湾曲した曲り部であり、前記中央部伸縮構造の曲り部の曲り高さは前記外側部伸縮構造の曲り部の曲り高さよりも大きいことを特徴とする請求項１に記載の枕。
【請求項３】
前記中央部復元バネ及び前記外側部復元バネは、
前記後頭部受面部と前記ベース本体との間又は前記側頭部受面部の下面と前記ベース本体との間に設けられ、前記後頭部受面部又は前記側頭部受面部に頭部を載置した際の沈み変形により圧縮され、前記後頭部受面部又は前記側頭部受面部から頭部が退去した際は伸長して前記後頭部受面部又は前記側頭部受面部を沈み変形する前の状態に押し戻す押しバネと、
前記後頭部受面部の下面又は前記側頭部受面部の下面を通して前記支持脚に取り付けられ、前記後頭部受面部又は前記側頭部受面部に頭部を載置した際の沈み変形により伸長され、前記後頭部受面部又は前記側頭部受面部から頭部が退去した際は縮小して前記後頭部受面部又は前記側頭部受面部を沈み変形する前の状態に引き戻す引きバネ
のいずれか一方であることを特徴とする請求項１又は２に記載の枕。
【請求項４】
前記ベース本体には、前記後頭部受面部に頭部が載置されて沈み変形した際に前記後頭部受面部に弾力的に当接して前記後頭部受面部を前記仰臥時適合高さに保持する高さ保持材を備えたことを特徴とする請求項１〜３のいずれか１つに記載の枕。
【請求項５】
前記支持脚は、前記受本体と前記ベース本体の一方に設けた嵌合凸部と、前記受本体と前記ベース本体の他方に設けて前記嵌合凸部に嵌合する嵌合凹部を有することを特徴とする請求項１〜４のいずれか１つに記載の枕。
【請求項６】
前記嵌合凸部と前記嵌合凹部との間に配置され前記ベース本体に対して前記受本体を固定する高さを調節する高さ調節部材を備えたことを特徴とする請求項５に記載の枕。
【請求項７】
前記受本体を、前記後頭部受面部を有する前記外周強度部の左右方向の中間部による中央受部と、前記側頭部受面部を有する前記外周強度部の左右方向の端部による外側受部とに分割し、前記中央受部及び前記外側受部は夫々独立した支持脚により前記ベース本体に固定したことを特徴とする請求項１に記載の枕。
【請求項８】
少なくとも前記受本体を覆う通気性の被覆材を備えたことを特徴とする請求項１〜７のいずれか１つに記載の枕。
【発明の詳細な説明】
【技術分野】
【０００１】
本発明は就寝時等に使用する枕に関し、仰向けで寝る仰臥時と寝返りをうって横向きで寝る横臥時のいずれにおいても頭部が好適な高さに保持され、且つ、通気性が保持されるようにした枕に関する。
【背景技術】
【０００２】
就寝時等に使用する枕には種々の材料を用いたものが知られている。一般に知られている枕には、布製等の袋体の内部に、そば殻等の穀類の殻、或いは、合成樹脂製の筒状物又は発泡粒状物、或いは木材チップ等を収容した粒状物枕がある。この粒状物枕は、袋体に収容する粒状物の量を調節することにより枕の高さを調節できる利点がある。更に、粒状物枕は載置した頭部の形状に適合して形状が変化するため頭部の位置が安定する利点がある。
【０００３】
又、前記袋体の内部に、綿や化学繊維等の軟らかい繊維を収容したクッション枕がある。このクッション枕は肌触りが柔らかく、頭を包み込むような使用感が得られる利点がある。
【０００４】
更に、前記袋体の内部に、低反発ウレタンフォームを収容した低反発枕がある。この低反発枕は、載置した頭部の形状に沿って形状が変化するため頭部の位置が安定する利点がある。
【０００５】
仰臥時は背中と頭部が床に接するのに対して横臥時は肩と頭部が床に接するため、横臥時に適する頭部の横臥時適合高さは仰臥時に適する頭部の仰臥時適合高さよりも大幅に高いことが知られている。枕の高さが仰臥時適合高さ及び横臥時適合高さよりも高過ぎたり低過ぎたりすると、良好な睡眠が得られないばかりでなく、首や肩を痛めたり、気道が圧迫される等により無呼吸を生じたり鼾をかいたりする等の原因になることが指摘されている。
【０００６】
仰臥時と横臥時とで高さを変えられるようにした枕は提案されている(例えば特許文献１、２参照)。
【先行技術文献】
【特許文献】
【０００７】
【特許文献１】特開２０１０−０６９２０２号公報
【特許文献２】特開２０１１−１８９００５号公報
【発明の概要】
【発明が解決しようとする課題】
【０００８】
特許文献１、２に記載された枕を含む一般に知られている粒状物枕、クッション枕、低反発枕等の枕において、簡単な構造で仰臥時と横臥時のいずれにおいても好適な高さを自動的に保持できるようにした枕は存在していない。これは、仰臥時に好適な仰臥時適合高さと横臥時に好適な横臥時適合高さを自動的に得られるようにした枕を製造するためには、複雑な機構が必要になるばかりでなく電源が必要になる等によりコストが増加する問題があり、更に故障の問題があるためである。
【０００９】
特許文献１の枕は、枕ケースの内部に傾斜仕切り壁を設けると共に枕ケースの内部に芯材を充填して、仰臥時と横臥時とで高さが変わるようにしたものである。しかしこの枕は、傾斜仕切り壁の高さに対して芯材の充填量を注意深く調節する必要があり、芯材の充填量が不足すると傾斜仕切り壁が頭部に当たってしまう問題がある。一方、芯材の充填量が多すぎると枕が固くなってしまう問題がある。更に、傾斜仕切り壁で囲まれた部分に頭部が収まることにより得られる仰臥時の高さと、その他の位置に頭部を載置した際に得られる横臥時の高さの両方が、好適な仰臥時適合高さと好適な横臥時適合高さに確実に保持されるようにすることは難しい。
【００１０】
又、引用文献２の枕は、第１可動芯体と第２可動芯体を相互に接近・離反させることにより、仰臥時適合高さと横臥時適合高さを得るようにしものである。しかしこの枕は、枕の高さを人の手によって調節するものであるため、睡眠時に枕の高さを調節することは困難である。従って、枕の高さを調節するためには睡眠が中断することになり好ましくない。
【００１１】
更に、特許文献１、２に記載の枕を含む一般に知られている枕は、良好な通気性は有していない。そのために枕に接する頭部が熱くなる感覚を生じたり、汗をかいて湿ったりするという問題がある。
【００１２】
本発明は、従来の枕の課題に鑑みてなしたもので、仰向けで寝る仰臥時と寝返りをうって横向きで寝る横臥時のいずれにおいても頭部を好適な高さに保持することができ、且つ、通気性が保持されるようにした枕を提供することにある。
【課題を解決するための手段】
【００１３】
本発明の枕は、後頭部受面部と該後頭部受面部を挟んで左右に位置する側頭部受面部の外周に外周強度部を有し、少なくとも前記後頭部受面部及び前記側頭部受面部に設けた貫通口により通気構造を有する受本体と、
前記受本体に対峙するベース本体と、
前記側頭部受面部が横臥時適合高さに保持されるように前記受本体の前記外周強度部を前記ベース本体に固定する支持脚と、
前記後頭部受面部に頭部が載置した際は前記後頭部受面部の中心に対し半径方向へ伸長して前記横臥時適合高さよりも低い仰臥時適合高さに沈み変形できるよう前記後頭部受面部に備えた中央部伸縮構造と、前記後頭部受面部の沈み変形により圧縮又は伸長され、前記後頭部受面部から頭部が退去した際は伸長又は縮小することにより前記後頭部受面部を沈み変形する前の状態に戻す中央部復元バネと、
前記側頭部受面部に頭部が載置した際は前記側頭部受面部の中心に対し半径方向へ伸長して前記横臥時適合高さに沈み変形できるよう前記側頭部受面部に備えた外側部伸縮構造と、前記側頭部受面部の沈み変形により圧縮又は伸長され、前記側頭部受面部から頭部が退去した際は伸長又は縮小することにより前記側頭部受面部を沈み変形する前の状態に戻す外側部復元バネと、
を有することを特徴とする。
【００１４】
上記枕において、前記中央部伸縮構造及び前記外側部伸縮構造は、前記後頭部受面部及び前記側頭部受面部の中心を中心に環状に上方へ湾曲して突出した曲り部、又は、前記中心を中心に環状に上下へ湾曲した曲り部であり、前記中央部伸縮構造の曲り部の曲り高さは前記外側部伸縮構造の曲り部の曲り高さよりも大きくなっている。
【００１５】
上記枕において、前記中央部復元バネ及び前記外側部復元バネは、
前記後頭部受面部の下面と前記ベース本体との間又は前記側頭部受面部の下面と前記ベース本体との間に設けられ、前記後頭部受面部又は前記側頭部受面部に頭部を載置した際の沈み変形により圧縮され、前記後頭部受面部又は前記側頭部受面部から頭部が退去した際は伸長して前記後頭部受面部又は前記側頭部受面部を沈み変形する前の状態に押し戻す押しバネと、
前記後頭部受面部の下面又は前記側頭部受面部の下面を通して前記支持脚に取り付けられ、前記後頭部受面部又は前記側頭部受面部に頭部を載置した際の沈み変形により伸長され、前記後頭部受面部又は前記側頭部受面部から頭部が退去した際は縮小して前記後頭部受面部又は前記側頭部受面部を沈み変形する前の状態に引き戻す引きバネ
のいずれか一方であってよい。
【００１６】
上記枕において、前記ベース本体には、前記後頭部受面部に頭部が載置されて沈み変形した際に前記後頭部受面部に弾力的に当接して前記後頭部受面部を前記仰臥時適合高さに保持する高さ保持材を備えている。
【００１７】
上記枕において、前記支持脚は、前記受本体と前記ベース本体の一方に設けた嵌合凸部と、前記受本体と前記ベース本体の他方に設けて前記嵌合凸部に嵌合する嵌合凹部を有することができる。
【００１８】
上記枕において、前記嵌合凸部と前記嵌合凹部との間に配置され前記ベース本体に対して前記受本体を固定する高さを調節する高さ調節部材を備えることができる。
【００１９】
上記枕において、前記受本体を、前記後頭部受面部を有する前記外周強度部の左右方向の中間部による中央受部と、前記側頭部受面部を有する前記外周強度部の左右方向の端部による外側受部とに分割し、前記中央受部及び前記外側受部は夫々独立した支持脚により前記ベース本体に固定することができる。
【００２０】
上記枕において、少なくとも前記受本体を覆う通気性の被覆材を備えることができる。
【発明の効果】
【００２１】
本発明の枕によれば、仰臥時と横臥時のいずれにおいても頭部が好適な高さに保持され、しかも、通気性が保持されるという優れた効果を奏し得る。
【図面の簡単な説明】
【００２２】
【図１】本発明の枕の全体形状を示す正面図である。
【図２】図１をＡ−Ａ方向から見た平面図である。
【図３】図１をＢ−Ｂ方向から見た平面図である。
【図４】図１の左半分を拡大して示した平面図である。
【図５】図４をＣ−Ｃ方向から見た断面図である。
【図６】図４をＤ−Ｄ方向から見た断面図である。
【図７ａ】支持脚を構成する嵌合凸部の形状を示す平面図である。
【図７ｂ】図７ａをＪ方向から見た断面図である。
【図８ａ】支持柱に備えた高さ調節部材の構成を示す断面図である。
【図８ｂ】図８ａに示した高さ調節部材とは異なる構成の高さ調節部材の断面図である。
【図９】図４をＥ方向から見た固定構造の断面図である。
【図１０】図４をＦ−Ｆ方向から見た断面図である。
【図１１】図４をＧ−Ｇ方向から見た断面図である。
【図１２】図４をＨ−Ｈ方向から見た断面図である。
【図１３】図１２とは異なる中央部復元バネの構成を示す断面図である。
【図１４ａ】後頭部受面部及び側頭部受面部に備える中央部伸縮構造及び外側部伸縮構造の別の形状例を示す平面図である。
【図１４ｂ】図１４ａをＫ−Ｋ方向から見た断面図である。
【図１５ａ】後頭部受面部及び側頭部受面部に備える中央部伸縮構造及び外側部伸縮構造の更に別の形状例を示す平面図である。
【図１５ｂ】図１５ａをＬ−Ｌ方向から見た断面図である。
【図１６】後頭部受面部及び側頭部受面部に備える中央部伸縮構造及び外側部伸縮構造の更に別の形状例を示す平面図である。
【図１７】図１０〜図１３に示した構成とは異なる中央部復元バネ及び外側部復元バネの構成を図４のＣ−Ｃ方向から見た状態を示す断面図である。
【図１８】図１７の中央部復元バネ及び外側部復元バネの構成を図４のＦ−Ｆ方向から見た状態を示す断面図である。
【図１９】図１７、図１８の中央部復元バネ及び外側部復元バネの配置を示す平面図である。
【図２０】受本体を複数に分割した構成を示す平面図である。
【図２１】枕を被覆材によって覆った構成を示す正面図である。
【図２２】図２１の平面図である。
【発明を実施するための形態】
【００２３】
図１は本発明の枕１００の全体形状を示す正面図、図２は図１をＡ−Ａ方向から見た平面図、図３は図１をＢ−Ｂ方向から見た平面図である。本発明の枕１００は、平面形状が左右方向Ｘに長い概略長方形を有する受本体１と、該受本体１と同様の形状を有して対峙するベース本体２と、前記受本体１を前記ベース本体２に対し固定高さＬ１を保持して固定する複数の支持脚３を有する。枕１００を構成する受本体１、ベース本体２及び支持脚３は合成樹脂によって形成できる。
【００２４】
前記受本体１は、図２に示すように、後頭部受面部４と該後頭部受面部４を挟んで左右に位置する側頭部受面部５、５を有しており、更に前記後頭部受面部４及び側頭部受面部５、５の外周には外周強度部６を有している。前記受本体１における前後方向Ｙの手前側の辺は左右方向Ｘへ延びた直線となっており、一方、受本体１の前後方向Ｙの後方の辺は左右方向Ｘの中間部が後方へ湾曲して張り出した曲線となっている。
【００２５】
前記外周強度部６の周縁部には、図１、図５に示すように湾曲して下方へ延びた補強ベルト部７が形成してあり、この補強ベルト部７を備えた外周強度部６は前記受本体１の平面の曲がりに対する強度を保持している。
【００２６】
前記後頭部受面部４及び前記側頭部受面部５、５には、図２に示すように複数の貫通口８が設けてあり、この貫通口８により受本体１は上下方向へ通気できる通気構造を有している。更に、前記外周強度部６にも前記貫通口８を設けることができる。
【００２７】
前記受本体１をベース本体２に固定する支持脚３は、図２、図３に示すように前記外周強度部６における前後方向Ｙの前側の辺と後側の辺に、前記側頭部受面部５、５の夫々を略４角形に取り囲むように４つずつ配置した計８つの支持脚３ａ、３ｂ、３ｃ、３ｄ、３ａ'、３ｂ'、３ｃ'、３ｄ'を備えている。図２、図３では、前側の支持脚３ａ、３ｂ、３ａ'、３ｂ'は左右方向Ｘへ直線に配置されているのに対し、後側における左右方向Ｘ内側の支持脚３ｄ、３ｄ'は左右方向Ｘ外側の支持脚３ｃ、３ｃ'よりも後側に配置されている。又、前側の左右方向Ｘ内側の支持脚３ｂ、３ｂ'の相互の間隔に対して、後側の左右方向Ｘ内側の支持脚３ｄ、３ｄ'の相互の間隔は狭くなっている。従って、左右の側頭部受面部５、５の中心Ｏ２を結ぶ線に対して後頭部受面部４の中心Ｏ１は後側に位置されている。
【００２８】
前記ベース本体２は、図３、図１０に示す如く、ベース本体２の外周部を形成する上下方向へ幅を有する環状の外周ベルト部９と、該外周ベルト部９の内側に交差して配置した複数の補強梁部１０を有している。前記外周ベルト部９と前記補強梁部１０は同等の高さを有している。前記ベース本体２における前記補強梁部１０が交差した部分に前記支持脚３が設けられている。
【００２９】
図３では、左右方向Ｘに配置される支持脚３ａ、３ｂ、３ｂ'、３ａ'の相互の間、及び、支持脚３ｃ、３ｄ、３ｄ'、３ｃ'の相互の間を補強梁部１０により連結している。更に、支持脚３ａ、３ｂ、３ｂ'、３ａ'に対して前後方向Ｙに対峙する支持脚３ｃ、３ｄ、３ｄ'、３ｃ'の相互間を補強梁部１０により連結している。更に、対角に位置する支持脚３ａ、３ｄの間、支持脚３ｂ、３ｃの間、支持脚３ａ'、３ｄ'の間、支持脚３ｂ'、３ｃ'の間、支持脚３ｂ、３ｄ'の間、支持脚３ｂ'、３ｄの間を夫々補強梁部１０により連結している。前記支持脚３ａ、３ｂ、３ｃ、３ｄ、３ａ'、３ｂ'、３ｃ'、３ｄ'を相互に連結している補強梁部１０は、他に配置した補強梁部１０及び外周ベルト部９よりも厚さが厚くなっている。前記ベース本体２は前記外周ベルト部９と補強梁部１０によって平面の曲がりに対する強度が保持されている。
【００３０】
図４は図１の枕１００の左半分を拡大して示した平面図、図５は図４をＣ−Ｃ方向から見た断面図、図６は図４をＤ−Ｄ方向から見た断面図であり、図５、図６は前記支持脚３の構成を示す。図５、図６に示すように、前記支持脚３は、前記受本体１の外周強度部６と一体に形成してベース本体２側へ突出した筒状の嵌合凸部１１と、前記ベース本体２と一体に形成して受本体１側へ突出し前記嵌合凸部１１に嵌合する筒状の嵌合凹部１２を有している。
【００３１】
前記嵌合凹部１２には前記嵌合凸部１１が嵌合する際の嵌合深さを制限する段部１３が設けてあり、この段部１３により嵌合深さが制限された支持脚３によって受本体１は固定高さＬ１に保持される。この固定高さＬ１により、側頭部受面部５、５に頭部が載置されて沈み変形した際に側頭部受面部５、５と前記ベース本体２の底面との間の横臥時適合高さｈ２が保持されるようになっている。前記ベース本体２の嵌合凹部１２と前記補強梁部１０との間には、支持脚３の曲げに対する強度を高めるためのリブ１２'(図１参照)を設けることができる。
【００３２】
図７ａは支持脚３を構成する前記嵌合凸部１１の形状を示す平面図、図７ｂは図７ａをＪ方向から見た断面図である。前記外周強度部６に設ける嵌合凸部１１には、前記外周強度部６から湾曲して下方へ延びる絞り形状部１４が形成してあり、この絞り形状部１４によって前記受本体１は弾力的に支持脚３に支持され、更に外周強度部６は支持脚３に対して傾くように変形できる。又、前記嵌合凸部１１の絞り形状部１４には貫通口８'を設けることができる。この貫通口８'により前記受本体１は更に弾力的に支持脚３に支持されるようになり外周強度部６は更に傾くことで容易になり、又、前記貫通口８'によって支持脚３の通気性が向上される。
【００３３】
尚、図５、図６では、受本体１に備えた嵌合凸部１１とベース本体２に備えた嵌合凹部１２を嵌合することにより支持脚３を形成する場合について説明したが、受本体１に嵌合凹部１２を設け、ベース本体２に嵌合凸部１１を設けてもよい。又、前記受本体１とベース本体２とは別体の支持脚３を設け、この別体の支持脚３により前記受本体１とベース本体２を一体に組み立てるようにしてもよい。
【００３４】
又、図２では左右の側頭部受面部５、５を取り囲むように夫々４つの支持脚３を外周強度部６に設けた場合について説明したが、図２に二点鎖線で示すように、前記外周強度部６の前後の辺における左右方向Ｘの中間部６'に、支持脚１５を追加して設けてもよい。図２では、外周強度部６の前後の辺の中間部６'に対して夫々２つずつ計４つの追加の支持脚１５を設けた場合を示しているが、追加して設ける支持脚１５の数は任意である。
【００３５】
図８ａは、前記支持脚３を構成する嵌合凸部１１と嵌合凹部１２との間に、高さ調節部材１６を配置して図５に示す固定高さＬ１を調節可能にした構成を示す。図８ａに示す嵌合凹部１２の内径は嵌合凸部１１の外径よりも大きくなっており、前記嵌合凸部１１の外側には前記高さ調節部材１６の一端が嵌合し、高さ調節部材１６の他端は前記嵌合凹部１２の内側に嵌合している。又、前記嵌合凸部１１の外面には前記高さ調節部材１６の嵌合深さを規制する段部１３ａが形成してあり、一方、嵌合凹部１２の内面には前記高さ調節部材１６の嵌合深さを規制する段部１３ｂが形成してある。
【００３６】
図８ｂは図８ａに示す固定高さＬ１を調節可能にした構成とは別の構成を示しており、図８ｂでは、前記受本体１とベース本体２に対して同一の口径を有する嵌合凸部１１、１１'を対向して設けている。前記嵌合凸部１１、１１'の外側には管状を有する高さ調節部材１６の両端が嵌合しており、前記嵌合凸部１１、１１'の外面には高さ調節部材１６の嵌合深さを規制する段部１３ａ、１３ｂを形成している。尚、図８ｂでは、嵌合凸部１１、１１'の外側に高さ調節部材１６の両端を嵌合させた場合について示したが、前記嵌合凸部１１、１１'の内側に嵌合できる径の高さ調節部材１６を設け、更に、前記嵌合凸部１１、１１'の内面に高さ調節部材１６の嵌合深さを規制する段部１３ａ、１３ｂを設けるようにしてもよい。
【００３７】
図８ａ、図８ｂに示した構成によれば、前記高さ調節部材１６の長さを選定することにより、ベース本体２に対して設置する受本体１の高さを任意の固定高さＬ１に変更して、図５に示す横臥時適合高さｈ２を任意に変更することができる。
【００３８】
図９は図４をＥ方向から見た断面図であり、受本体１をベース本体２に固定する固定構造１７の構成を示す。この固定構造１７は、前記受本体１の外周強度部６における支持脚３ａ、３ｃ、３ａ'、３ｃ'の近傍位置に、下方へ湾曲して突出した引掛け部１８を形成している。一方、途中に曲り部１９を有し且つ一端と他端にフック２０を備えたバネ材からなる連結具２１を備えている。前記連結具２１の一方のフック２０を前記ベース本体２の補強梁部１０に引掛け、前記連結具２１を引き延ばして他方のフック２０を前記引掛け部１８に引掛けることにより、受本体１とベース本体２は連結具２１のバネ力によって弾力的に固定される。連結具２１によって固定した受本体１とベース本体２は、連結具２１を取り外すことにより分離することができる。一方、受本体１とベース本体２を分離する必要がない場合には、図５、図６に示す前記嵌合凸部１１と嵌合凹部１２を接着剤等により固定してもよい。
【００３９】
図１、図５に示すように、支持脚３によってベース本体２に固定した受本体１の外周強度部６における左右方向Ｘの端部側は、側頭部受面部５、５に頭部が載置された際に横臥時適合高さｈ２を保持できる固定高さＬ１で支持されているのに対し、外周強度部６の前側の辺における左右方向Ｘの中間部６'は、図１に示すように仰臥時の首部の高さに対応するよう下方へ湾曲した低い首部高さＬ２になっている。
【００４０】
図１０は図４をＦ−Ｆ方向から見た断面図、図１１は図４をＧ−Ｇ方向から見た断面図、図１２は４をＨ−Ｈ方向から見た断面図である。図１１、図１２に示すように、前記側頭部受面部５、５は、支持脚３によって固定高さＬ１に保持された外周強度部６に対して僅かに低い側頭部高さＬ３になっている。ここで、前記側頭部受面部５、５の側頭部高さＬ３は、前側(図１１の左側)よりも後側(図１１の右側)に向かって低くなるように傾斜を有している。前記側頭部受面部５、５の側頭部高さＬ３が前側よりも後側を低くしてあるのは、頭部の左右の幅がこめかみ部から頭頂へ向かって広がっていることに基づいている。即ち、傾斜した側頭部受面部５、５に側頭部を載置する横臥時に、頭部の中心及び脊椎が略水平に保持されるようにするためである。
【００４１】
一方、前記後頭部受面部４は、図１０に示すように、前記側頭部受面部５、５から下方へ曲げられて前記側頭部受面部５、５よりも僅かに低い後頭部高さＬ４になっている。前記後頭部受面部４は、図１２に示すように、前記外周強度部６における前側の中間部６'の首部高さＬ２から上方へ湾曲して延びたのち後頭部高さＬ４を保持して水平に後側まで延びている。尚、図１０では前記側頭部受面部５、５の側頭部高さＬ３に対して後頭部受面部４の後頭部高さＬ４を低くした場合について説明したが、前記側頭部受面部５、５の側頭部高さＬ３と後頭部受面部４の後頭部高さＬ４は同一としてもよい。
【００４２】
前記後頭部受面部４には、図１０、図１２に示すように、後頭部受面部４に頭部が載置された際は頭部の形状に沿い前記側頭部受面部５、５の横臥時適合高さｈ２よりも低い仰臥時適合高さｈ１に沈み変形するようにした中央部伸縮構造２２を備えている。
【００４３】
又、前記側頭部受面部５、５には、図１０、図１１に示すように、側頭部受面部５、５に頭部が載置された際は頭部の形状に沿い横臥時適合高さｈ２に沈み変形するようにした外側部伸縮構造２３を備えている。
【００４４】
前記中央部伸縮構造２２及び外側部伸縮構造２３の構成について説明する。
【００４５】
図４に示す後頭部受面部４及び側頭部受面部５、５に形成した貫通口８は、幅に対して長さが長い長円口の場合を示している。そして、後頭部受面部４及び側頭部受面部５、５の夫々の中心Ｏ１、Ｏ２を中心として、受本体１の左右方向Ｘへ長い長円口８ａを受本体１の前後方向Ｙへ隣接して複数形成した前後列と、受本体１の前後方向Ｙへ長い長円口８ｂを受本体１の左右方向Ｘへ隣接して複数形成した左右列と、左右方向Ｘと前後方向Ｙに対して４５°の方向に長い長円口８ｃを、４５°の方向と直交する方向へ隣接して複数形成した傾斜列を組み合わせて配置している。後頭部受面部４及び側頭部受面部５、５に備えた前後列の隣接した長円口８ａの相互間と、左右列の隣接した長円口８ｂの相互間と、傾斜列の隣接した長円口８ｃの相互間の夫々には、桟部２４が存在している。この桟部２４は後頭部受面部４及び側頭部受面部５、５の夫々の中心Ｏ１、Ｏ２に対して略半径方向へ放射状に備えられている。尚、前記桟部２４の断面形状は板形状、楕円形状、円形状等の任意の形状とすることができるが、桟部２４の上面は頭部に接することから角部が無い曲面を有していることが好ましい。
【００４６】
図１０〜図１２に示すように、後頭部受面部４及び側頭部受面部５、５に備えられる各桟部２４には、上方へ向かい湾曲して突出した曲り部２５ａ、２５ｂを形成する。これにより、前記後頭部受面部４及び側頭部受面部５、５には中心Ｏ１、Ｏ２に対して略半径方向へ放射状に延びた曲り部２５ａ、２５ｂによる前記中央部伸縮構造２２及び外側部伸縮構造２３が備えられる。図４では貫通口８の幅及び桟部２４の幅は５ｍｍであり、貫通口８の長さは最大で４０ｍｍである場合を示しており、前記桟部２４による曲り部２５ａ、２５ｂの長さと曲り高さＳ１、Ｓ２を設定することにより、後頭部受面部４及び側頭部受面部５、５が半径方向へ伸縮できる伸縮量は決められる。尚、貫通口８の幅と桟部２４の幅は任意に設定でき、曲り部２５ａ、２５ｂの長さと曲り高さＳ１、Ｓ２は任意に設定できる。
【００４７】
前記後頭部受面部４及び側頭部受面部５、５に頭部が載置された際は、左右方向、前後方向、及び４５°方向の桟部２４に形成された曲り部２５ａ、２５ｂの夫々が直線状に伸ばされることにより、後頭部受面部４及び側頭部受面部５、５は半径方向へ伸長して沈み変形する。又、後頭部受面部４及び側頭部受面部５、５から頭部が退去した際は、直線方向に伸びた曲り部２５ａ、２５ｂが元の曲がり形状に戻ろうとする力により、後頭部受面部４及び側頭部受面部５、５は沈み変形する前の状態に戻るようになる。
【００４８】
ここで、図１０〜図１２に示すように、前記後頭部受面部４の桟部２４に形成する曲り部２５ａの曲り高さＳ１は、前記側頭部受面部５、５の桟部２４に形成する曲り部２５ｂの曲り高さＳ２よりも大きくしている。よって前記後頭部受面部４は前記側頭部受面部５、５の伸縮量よりも大きい伸縮量で伸縮できる。
【００４９】
前記後頭部受面部４に備える前記中央部伸縮構造２２の桟部２４に形成する曲り部２５ａの曲り高さＳ１と曲り部２５ａの長さは予め設定してあり、後頭部受面部４に頭部が載置された際に、最も深く沈む部分が仰臥時適合高さｈ１を超えて下方へ沈み変形できるようにしている。尚、後頭部受面部４は仰臥時適合高さｈ１を僅かに超えて沈み変形できればよい。
【００５０】
又、前記側頭部受面部５、５に備える前記外側部伸縮構造２３の桟部２４に形成する曲り部２５ｂの曲り高さＳ２と曲り部２５ｂの長さは予め設定してあり、前記側頭部受面部５、５に頭部が載置された際に、最も深く沈む部分が横臥時適合高さｈ２を超えて下方へ沈み変形できるようにしている。尚、側頭部受面部５、５は横臥時適合高さｈ２を僅かに超えて沈み変形できればよい。前記後頭部受面部４の仰臥時適合高さｈ１は、前記側頭部受面部５、５の横臥時適合高さｈ２の約半分(１／２)の高さ或いはそれ以下の高さとすることができる。
【００５１】
前記後頭部受面部４及び側頭部受面部５、５に頭部が載置されて沈み変形が繰り返されると、曲り部２５ａ、２５ｂの曲りは伸びたままになって初期の曲がり形状に戻れなくなる。このために、後頭部受面部４及び側頭部受面部５、５は初期の沈み変形する前の状態には戻れなくなる。
【００５２】
このため、図１０、図１２に示すように、前記後頭部受面部４には、沈み変形した後頭部受面部４から頭部が退去した際に、後頭部受面部４を沈み変形する前の状態に復元させるための中央部復元バネ２６を備える。又、前記側頭部受面部５、５には、沈み変形した側頭部受面部５、５から頭部が退去した際に、側頭部受面部５、５を沈み変形する前の状態に復元させるための外側部復元バネ３０を備える。
【００５３】
図１０、図１２に示す前記中央部復元バネ２６は、上部の径が大きく、下部の径が小さいテーパ状を有するテーパ押しバネ２６ａの場合を示している。前記後頭部受面部４の下面には、図２、図４、図１０、図１２に示すように、前記テーパ押しバネ２６ａの上端を取り囲むように、後頭部受面部４の中心Ｏ１から半径方向へ等距離の位置で下方へ突出した４つの突出部２７を設けており、又、ベース本体２の中央部には前記テーパ押しバネ２６ａの下端が嵌合する位置決め凹部２８を設けている。テーパ押しバネ２６ａは前記突出部２７と位置決め凹部２８によって位置決めされる。前記テーパ押しバネ２６ａによれば、径が大きい上端によって前記後頭部受面部４の下面の中心Ｏ１を所要の径で囲んだ範囲を弾力的にベース本体２に支持することができる。
【００５４】
前記後頭部受面部４に頭部が載置された際は、前記後頭部受面部４に備えた曲り部２５ａが伸長することにより後頭部受面部４は沈み変形するが、このとき、前記テーパ押しバネ２６ａは前記後頭部受面部４の沈み変形に伴って圧縮される。一方、前記後頭部受面部４から頭部が退去した際は、伸長した曲り部２５ａが元の曲り形状に戻る戻り力と、圧縮された前記テーパ押しバネ２６ａが伸長しようとする力により、前記後頭部受面部４は沈み変形する前の状態に押し戻される。ここで、前記テーパ押しバネ２６ａは、頭部が載置されないときには前記側頭部受面部５、５を僅かに押し上げる長さに予め設定されている。更に、前記テーパ押しバネ２６ａは、後頭部受面部４に頭部が載置された際は後頭部受面部４が仰臥時適合高さｈ１をわずかに超えて下部に沈み変形するように弾発力を予め設定している。
【００５５】
図１３は図１２に示した中央部復元バネ２６の他の構成を示しており、長さ方向に一定の径を有する複数のコイル押しバネ２６ｂを備えた場合を示している。図４、図１３に示すように、前記後頭部受面部４の下面に設けた４つの前記突出部２７の夫々の近傍位置に、図４に一点鎖線で示すように位置決め凸部２９を設け、この位置決め凸部２９と前記ベース本体２に設けた収容部２８ａとの間に４つのコイル押しバネ２６ｂを配置している。
【００５６】
図１０、図１１に示す前記外側部復元バネ３０は、前記側頭部受面部５、５の下面とベース本体２との間に、長さ方向に一定のコイル径を有するコイル押しバネ３０ａを設けた場合を示している。このコイル押しバネ３０ａは、前記側頭部受面部５、５の下面を所要の範囲で支持するように前記コイル押しバネ２６ｂよりも大きい径を有している。側頭部受面部５、５の中心Ｏ２の下面には、図２、図４、図１０、図１１に示すように、前記コイル押しバネ３０ａの上端の内側に嵌合する筒形状の位置決め凸部３１が設けてあり、又、ベース本体２における前記側頭部受面部５、５の中心Ｏ２に対応した位置には前記コイル押しバネ３０ａの下端の外側に嵌合する位置決め凹部３２を設けている。前記コイル押しバネ２６ｂは位置決め凸部３１と位置決め凹部３２によって位置決めされる。
【００５７】
前記側頭部受面部５、５に頭部が載置された際は、前記側頭部受面部５、５に備えた曲り部２５ａが伸長することにより側頭部受面部５、５は沈み変形するが、このとき、前記コイル押しバネ３０ａは前記側頭部受面部５、５の沈み変形に伴って圧縮される。前記側頭部受面部５、５から頭部が退去した際は、伸長した曲り部２５ｂが元の曲り形状に戻る戻り力と、圧縮された前記コイル押しバネ３０ａが伸長しようとする力によって、前記側頭部受面部５、５は沈み変形する前の状態に押し戻される。ここで、前記コイル押しバネ３０ａは、頭部が載置されないときに前記側頭部受面部５、５を僅かに押し上げる長さに予め設定されている。更に、前記コイル押しバネ３０ａは、側頭部受面部５、５に頭部が載置された際は該側頭部受面部５、５が横臥時適合高さｈ２に沈み変形するように弾発力を予め設定している。
【００５８】
図１４ａ、図１４ｂは前記後頭部受面部４及び側頭部受面部５、５に備える中央部伸縮構造２２及び外側部伸縮構造２３の別の形状例を示す。図１４ａに示す後頭部受面部４及び側頭部受面部５は、半径方向に径の大きさが異なる環状の連結部３３を複数有し、この環状の連結部３３の相互の間を半径方向に延びる桟部３４によって接続している。環状の連結部３３と桟部３４以外の部分は貫通口８になっている。そして、前記後頭部受面部４及び側頭部受面部５、５に対して図１４ｂに示すように半径方向で上下に湾曲した曲り部２５ａ、２５ｂを形成する。従って、前記後頭部受面部４及び側頭部受面部５、５は夫々の中心Ｏ１、Ｏ２を通るいずれの方向で切断しても図１４ｂのように曲り部２５ａ、２５ｂが形成されている。ここで、前記後頭部受面部４に備える中央部伸縮構造２２の曲り部２５ａの曲り高さＳ１は、側頭部受面部５、５に備える外側部伸縮構造２３の曲り部２５ｂの曲り高さＳ２よりも大きく設定する。
【００５９】
図１５ａ、図１５ｂは前記後頭部受面部４及び側頭部受面部５に備える中央部伸縮構造２２及び外側部伸縮構造２３の更に別の形状例を示す。図１５ａは前記後頭部受面部４及び側頭部受面部５の半径方向へ径の大きさが異なる位置に、複数の貫通口８を環状に形成している。このとき、前記貫通口８の大きさは任意に設定することができ、更に、貫通口８の形状は図示した円形以外に三角形、四角形、楕円形等種々の形状とすることができる。そして、前記後頭部受面部４及び側頭部受面部５、５に対して図１５ｂに示すように半径方向で上下に湾曲した曲り部２５ａ、２５ｂを形成する。従って、前記後頭部受面部４及び側頭部受面部５、５は夫々の中心Ｏ１、Ｏ２を通るいずれの方向で切断しても図１５ｂのように曲り部２５ａ、２５ｂが形成されている。ここで、前記後頭部受面部４に備える中央部伸縮構造２２の曲り部２５ａに形成する曲り高さＳ１は、側頭部受面部５、５の外側部伸縮構造２３の曲り部２５ｂの曲り高さＳ２よりも大きく設定する。
【００６０】
図１６は前記後頭部受面部４及び側頭部受面部５に備える中央部伸縮構造２２及び外側部伸縮構造２３の更に別の形状例を示す。図１６に示す後頭部受面部４及び側頭部受面部５は半径方向に径の大きさが異なる環状の連結部３３を複数備え、この環状の連結部３３の相互の間を半径方向に接続する桟部３４'を備えている。そして、半径方向に備える桟部３４'には水平面で半径方向へ湾曲して延びた曲り部２５ａ、２５ｂを形成している。従って、前記後頭部受面部４及び側頭部受面部５、５は夫々の中心Ｏ１、Ｏ２を通るいずれの方向に対しても水平面で曲げられた曲り部２５ａ、２５ｂが形成される。ここで、前記後頭部受面部４に備える中央部伸縮構造２２の曲り部２５ａの水平面での曲り高さＳ１は、側頭部受面部５、５に備える外側部伸縮構造２３の曲り部２５ｂの水平面での曲り高さＳ２よりも大きく設定する。
【００６１】
前記したように受本体１の後頭部受面部４及び側頭部受面部５、５は、頭部を載置した際に沈み変形する柔軟性と沈み変形が繰り返されることに対する耐久強度を有している必要がある。
【００６２】
前記受本体１の形成には、屈曲性に優れたポリプロピレン樹脂(PP)を用いることができる。又、受本体１は屈曲性と形状保持強度を有していればよく従って受本体１を形成する合成樹脂には限定されない。前記後頭部受面部４及び側頭部受面部５、５は好適な沈み変形ができるように、外周強度部６の厚さ寸法よりも小さい厚さ寸法とすることができ、更に、曲り部２５ａ、２５ｂの曲り高さＳ１、Ｓ２及び曲り部２５ａ、２５ｂの長さ寸法が選定される。一方、外周強度部６は、後頭部受面部４及び側頭部受面部５、５に頭部が載置されて沈み変形しても自身の形状は大きく変化しない強度を有している必要があり、このため、外周強度部６の厚さ寸法及び補強ベルト部７の上下方向の高さ寸法が決定される。
【００６３】
図１、図３に示す前記ベース本体２は、前記受本体１の後頭部受面部４及び側頭部受面部５、５に頭部が載置されて頭部の荷重が支持脚３を介して作用しても自身の形状は大きく変化しない強度を有している必要がある。このため、前記ベース本体２の形成には、前記ポリプロピレン樹脂(PP)のほか、アクリロニトリル・ブタジエン・スチレン共重合体樹脂(ＡＢＳ)、不飽和フェノール樹脂(ＰＦ)、ポリエチレン樹脂(ＰＥ)等の種々の合成樹脂を用いることができる。ベース本体２は形状強度と耐久性を有していればよく従ってベース本体２を形成する合成樹脂には限定されない。ベース本体２の強度を保持するために外周ベルト部９及び補強梁部１０の厚さ寸法と上下方向の高さ寸法が決定される。
【００６４】
又、図８ａ、図８ｂに示した前記高さ調節部材１６には、屈曲性を有する例えばシリコン樹脂、ポリウレタン樹脂、ポリプロピレン樹脂(PP)等を用いることができる。屈曲性を有する高さ調節部材１６は、受本体１に過大な荷重が作用した際に屈曲・変形することにより荷重を吸収できるので、前記嵌合凸部１１及び嵌合凹部１２が割れる等の問題を防止することができる。
【００６５】
図１７〜図１９は、図１０〜図１２に示した中央部復元バネ２６及び外側部復元バネ３０の構成とは異なる構成を示す。
【００６６】
図１７〜図１９では、長さ方向中間部に線状部３５を有すると共に両端部近傍にはコイル部３６を有し、両端部にはフック部３７を備えた引きバネ３８ａを設けている。又、前記支持脚３の嵌合凹部１２の上端には前記フック部３７が係止される係止孔(図示せず)を備えた環状の取付具３９を設けている。そして、図１９に示すように前記後頭部受面部４を取り囲む支持脚３における対角位置の支持脚３ｂと支持脚３ｄ'の間、及び支持脚３ｄと支持脚３ｂ'の間に、前記引きバネ３８ａの線状部３５が後頭部受面部４の下面を交差して通るように配置する。そして、前記引きバネ３８ａを引き延ばしてフック部３７を前記取付具３９の係止孔に係合する。このとき、前記引きバネ３８ａの線状部３５は、図１７、図１８に示すように前記後頭部受面部４の下面に突設した前記突出部２７の下端に設けた案内溝４０を通るように設けている。従って、前記引きバネ３８ａは前記突出部２７を介して前記後頭部受面部４を上方へ引き上げるように作用する。上記により、前記後頭部受面部４には引きバネ３８ａによる中央部復元バネ２６が備えられる。
【００６７】
又、側頭部受面部５、５を取り囲むように配置された支持脚３における対角位置の支持脚３ａと支持脚３ｄの間、支持脚３ｂと支持脚３ｃの間、支持脚３ａ'と支持脚３ｄ'の間、支持脚３ｂ'と支持脚３ｃ'の間の夫々には、前記引きバネ３８ａと同様の構成を有する引きバネ３８ｂの線状部３５が側頭部受面部５、５の下面を交差して通るように配置する。そして、前記引きバネ３８ｂを引き延ばしてフック部３７を前記取付具３９の係止孔に係合する。このとき、前記引きバネ３８ｂの線状部３５は図１７、図１８に示すように前記側頭部受面部５、５の下面に突設した位置決め凸部３１の下端に設けた案内溝４０を通るように設けている。従って、前記引きバネ３８ｂは前記位置決め凸部３１を介して前記側頭部受面部５、５を上方へ引き上げるように作用する。上記により、前記側頭部受面部５、５には引きバネ３８ｂによる外側部復元バネ３０が備えられる。
【００６８】
尚、上記説明では、引きバネ３８ａ、３８ｂのフック部３７を支持脚３に設けた取付具３９に取り付けた場合について示したが、前記支持脚３とは別にベース本体２に固定脚を設け、この固定脚に前記引きバネ３８ａ、３８ｂのフック部３７を取り付けてもよい。
【００６９】
図１８の前記後頭部受面部４に頭部が載置された際は、後頭部受面部４に備えた曲り部２５ａが伸長することにより後頭部受面部４は沈み変形するが、このとき、前記引きバネ３８ａは前記後頭部受面部４の沈み変形に伴って伸長される。一方、前記後頭部受面部４から頭部が退去した際は、伸長した曲り部２５ａが元の曲り形状に戻る戻り力と、伸長した前記引きバネ３８ａが縮小しようとする力により、前記後頭部受面部４は沈み変形する前の状態に引き戻される。ここで、前記引きバネ３８ａは、頭部が載置されていないときに前記後頭部受面部４を僅かに引き上げる長さを有している。更に、前記引きバネ３８ａは、後頭部受面部４に頭部が載置されて沈み変形する際は前記後頭部受面部４が仰臥時適合高さｈ１をわずかに超えて沈み変形するように弾発力が予め設定されている。
【００７０】
又、図１８の前記側頭部受面部５、５に頭部が載置された際は、前記側頭部受面部５、５に備えた曲り部２５ｂが伸長することにより側頭部受面部５、５は沈み変形するが、このとき、前記引きバネ３８ｂは前記側頭部受面部５、５の沈み変形に伴って伸長される。一方、前記側頭部受面部５、５から頭部が退去した際は、伸長した曲り部２５ｂが元の曲り形状に戻る戻り力と、伸長した前記引きバネ３８ｂが縮小しようとする力によって、前記側頭部受面部５、５は沈み変形する前の状態に引き戻される。ここで、前記引きバネ３８ｂは、頭部が載置されていないときに前記後頭部受面部４を僅かに引き上げる長さを有している。更に、前記引きバネ３８ｂは、前記側頭部受面部５、５に頭部が載置されて沈み変形する際は前記側頭部受面部５、５が横臥時適合高さｈ２に沈み変形するように弾発力が予め設定されている。
【００７１】
前記中央部復元バネ２６及び外側部復元バネ３０にはコイル状の樹脂バネ或いは金属バネを用いることができ、更に、コイルバネ以外に板バネを用いることもできる。又、上記説明では前記後頭部受面部４及び側頭部受面部５、５に押しバネ２６ａ、２６ｂ、３０ａと引きバネ３８ａ、３８ｂの一方を設けた場合について説明したが、後頭部受面部４には押しバネ２６ａ、２６ｂ及び引きバネ３８ａのいずれか一つを設け、側頭部受面部５、５には押しバネ３０ａ及び引きバネ３８ｂのいずれか一つを設けるようにしてもよい。
【００７２】
更に、図１０、図１２、図１３、図１８は、前記後頭部受面部４が沈み変形する際の最も低くなる部分が仰臥時適合高さｈ１に保持されるように沈み変形を制限する高さ保持材４１を前記ベース本体２に設けた構成を示す。図１０、図１２、図１８では、前記後頭部受面部４が沈み変形した際に、後頭部受面部４の下面に設けた突出部２７の下端に弾力的に当接する高さ保持材４１を、前記ベース本体２に設けた位置決め凹部２８の外周に設けた収容部２８ａに配置している。又、図１３では、収容部２８ａに高さ保持材４１が配置され、更に高さ保持材４１にはコイル押しバネ２６ｂの下端が嵌合する位置決め凹部２８'を切り欠くことにより形成している。前記高さ保持材４１は弾性と復元性を有していればよいため種々のゴム、合成樹脂等を用いることができ、高さ保持材４１を形成する材料には限定されない。
【００７３】
従って、前記後頭部受面部４に頭部を載置して後頭部受面部４が沈み変形した際は、後頭部受面部４の下面に備えた突出部２７の下端が高さ保持材４１に弾力的に当接することにより沈み変形が制限されるので、後頭部受面部４は常に仰臥時適合高さｈ１に保持されるようになる。
【００７４】
尚、前記側頭部受面部５、５は、頭部の載置により沈み変形した際には、図１０、図１１に示す押しバネ３０ａからなる外側部復元バネ３０の押し力、又は、図１７に示す引きバネ３８ｂからなる外側部復元バネ３０の引き力によって横臥時適合高さｈ２に保持される。しかし、図示しないが、前記側頭部受面部５、５に対しても、該側頭部受面部５、５が沈み変形した際に側頭部受面部５、５の下面に設けた突出部に弾力的に当接して横臥時適合高さｈ２を保持する高さ保持材をベース本体２に設けてもよい。
【００７５】
前記受本体１は、図２０に示すように複数に分割した構成とすることができる。図２０では、受本体１を、後頭部受面部４を有する外周強度部６の左右方向Ｘの中間部６'による中央受部４２と、側頭部受面部５、５を有する外周強度部６の左右方向Ｘの端部による外側受部４３、４３とに分割した構成としている。このとき、前記外側受部４３、４３は前記支持脚３によりベース本体２に固定し、中央受部４２は別の独立した支持脚４４によりベース本体２に固定する。更に、前記中央受部４２及び外側受部４３、４３の支持脚３、４４の近傍位置には、中央受部４２及び外側受部４３、４３を前記ベース本体２に固定するための前記固定構造１７(図９)を設ける。
【００７６】
図２０に示すように、受本体１を中央受部４２と外側受部４３、４３に分割した構成によれば、合成樹脂により受本体１を製造する際に、中央受部４２と外側受部４３、４３に分けて製造できるため小型の金型を用いて受本体１を製造することができる。又、中央受部４２と外側受部４３、４３は異なる合成樹脂を用いて製造することもできる。
【００７７】
上記では受本体１、ベース本体２及び支持脚３は合成樹脂により形成する場合について説明したが、受本体１、ベース本体２及び支持脚３の少なくとも一部を、繊維強化プラスチック或いは金属等を用いて製造することができる。
【００７８】
又、前記後頭部受面部４及び側頭部受面部５、５の少なくとも一方は、伸縮素材を用いて形成することができる。例えば、バネ或いはゴム等からなる伸縮素材を貫通口が形成されるように網状に組み立てた伸縮体を設け、この伸縮体の外周を固定脚を介してベース本体２に固定することができる。このように後頭部受面部４及び側頭部受面部５、５を伸縮素材によって形成すると、頭部が載置された際は伸長して沈み変形し、頭部が退去した際は縮小して沈み変形する前の状態に戻るように作用するため、前記した中央部復元バネ２６及び外側部復元バネ３０の設置を省略できる可能性がある。
【００７９】
本発明の枕１００は、図２１、図２２に示す通気性を有する被覆材４５によって覆うことができる。図２１、図２２では、受本体１を覆う被覆材４５を設けた場合を示す。この被覆材４５は、頭部及び顔の側面に接することから、肌触りが良好で且つ通気性及び吸放湿性を有していることが好ましく、被覆材４５には布或いは不織布、又は紙等を用いることができる。被覆材４５の周辺にはゴム或いは紐等からなる固定材４６が取り付けてあり、固定材４６が受本体１の下側で内側に配置されるようにして、被覆材４５を受本体１に締め付けて固定する。又、被覆材４５は面ファスナー等を用いて固定するようにしてもよい。更に、前記被覆材４５は特に後頭部受面部４の沈み変形の追従できるように伸縮性を有する布材を用いて製作することができ、或いは、後頭部受面部４に対応する部分に沈み変形に追従できるようにゴム等を用いた伸縮部を設けることができる。
【００８０】
又、被覆材４５は、前記受本体１及びベース本体２を含む枕１００の全体を覆う大きさを有していてもよい。この時、受本体１とベース本体２の間はメッシュ素材により覆うように構成して受本体１の下部空間の通気性を図ることは好ましい。尚、気温が低いときに使用する枕１００の場合には、保温性を備えて枕１００の全体を覆う被覆材４５を取り付けることが好ましい。
【００８１】
又、前記側頭部受面部５、５は横顔の肌が接する部分であるため、少なくとも側頭部受面部５、５に対応した前記被覆材４５の上面に対しては、二点鎖線で示すように紙或いは不織布等からなる通気性を備えた使い捨てのシート４８を取り付けてもよい。前記枕１００、被覆材４５及びシート４８には抗菌加工が施されていることが好ましい。
【００８２】
本発明の枕１００の寸法例について説明する。
【００８３】
枕の好適な仰臥時適合高さ及び横臥時適合高さについては種々提案されているが、仰臥時適合高さと横臥時適合高さを同時に満足できる枕は存在しておらず、一般の枕は仰臥時適合高さと横臥時適合高さの中間の均一高さに製作された均一高さ枕となっている。均一高さ枕では、仰臥時と横臥時のいずれにおいても使用者が満足した枕の高さで睡眠をとることができず、良好な使用感が得られていないのが現状である。
【００８４】
上記課題を解決するために、種々報告されている人体の寸法のうち、肩幅、頭幅、前後頭長について、成人男子の平均値と成人女子の平均値からその中間値を求める手法を用いることにより、肩幅中間値４３３ｍｍと、頭幅中間値１５５ｍｍと、前後頭長中間値１８４ｍｍを求めた。更に、一般に知られている成人の頭部の荷重が約５Ｋｇであること、仰臥時に頭部が最も床に接近する部分の高さは好ましくは１５〜４０ｍｍであり、仰臥時の首と床との間の首部高さは好ましくは３０ｍｍ〜６０ｍｍであることを参考に、枕１００の各寸法を設定して、基準枕を得た。
【００８５】
基準枕の左右方向Ｘの長さ寸法は４７０ｍｍであり、前後方向Ｙの幅寸法は左右の端部においては１８０ｍｍであり、左右方向Ｘの中間部６'においては１９０ｍｍである。図２における前側の支持脚３ｂ、３ｂ'の相互間隔１８０ｍｍ、及び、後側の支持脚３ｄ、３ｄ'の相互間隔１６０ｍｍの間に前記後頭部受面部４が形成されている。ベース本体２の底面から受本体１における外周強度部６の左右方向Ｘの端部の上面までの固定高さＬ１は５５ｍｍとした。ベース本体２の底面から受本体１における外周強度部６の前側の中間部６'の上面までの首部高さＬ２は３５ｍｍとした。前記側頭部受面部５、５の傾斜した側頭部高さＬ３は前側においては５０ｍｍ、後側においては４５ｍｍであり、前記後頭部受面部４の後頭部高さＬ４は４０ｍｍとした。そして、前記後頭部受面部４が沈み変形した際の最も沈み込んだ部分の仰臥時適合高さｈ１は１８ｍｍとなるように図１０の高さ保持材４１の高さ寸法（厚さ寸法）を設定した。前記側頭部受面部５、５が沈み変形した際の最も沈み込んだ部分の横臥時適合高さｈ２は４２ｍｍになるように図１０、図１１、図１７、図１８に示す外側部復元バネ３０の弾発力を設定した。又、後頭部受面部４における中央部伸縮構造２２の曲り部２５ａの曲り高さＳ１は約５ｍｍとし、側頭部受面部５、５における外側部伸縮構造２３の曲り部２５ｂの曲り高さＳ２は約２ｍｍとした。
【００８６】
上記基準枕は、成人の人体の寸法の中間値及び頭部の平均的な荷重を参考にしているため、基準枕に適合した使用者は良好な使用感が得られるのに対し、前記中間値や平均値から離れた条件の使用者には良好な使用感が得られない可能性がある。
【００８７】
このため、前記中間値及び平均値に基づいた基準枕の各寸法を例えば２０％増加した大型枕と、上記標準枕の各寸法を例えば２０％減少した小型枕を用意した。この３種類の枕を用意することにより、大凡の成人に対して良好に適合できるようになる。
【００８８】
本発明の枕１００によれば、次のように作用する。
【００８９】
枕１００を使用する際は、図１に示す平面形状において左右方向Ｘに長い直線の辺が手前になり、曲線の辺が後方になるようにセットする。そして、仰向けに寝る際は仰向けの姿勢で枕１００の後頭部受面部４に頭部を載置する。
【００９０】
このとき、後頭部の最も突出した部分が図１０の前記後頭部受面部４の中心Ｏ１に載置されるため、後頭部受面部４に備えた中央部伸縮構造２２の各曲り部２５ａは頭部の荷重によるモーメント力と引張り力を受けて伸長され、後頭部受面部４は頭部の形状に沿うように伸長して沈み変形する。そして、後頭部受面部４の下面に設けた突出部２７の下端が高さ保持材４１に当接することにより沈み変形は制限され、これにより、後頭部受面部４は仰臥時適合高さｈ１に確実に保持される。
【００９１】
通常の均一高さ枕においては仰臥時に頭部の高さが高すぎる場合があるが、本発明の枕１００では仰臥時の頭部は常に仰臥時適合高さｈ１に保持されるので、使用者は良好な睡眠を得ることができる。又、前記後頭部受面部４に載置する頭部は前記曲り部２５ａと中央部復元バネ２６の弾性によって柔らかく保持されるようになり、更に、弾力的に支持されているために頭部は動かすことができる。
【００９２】
前記後頭部受面部４に頭部が載置された仰臥時の姿勢から寝返りをうって横臥時の姿勢に変えようとするときは、前記後頭部受面部４に備えた中央部復元バネ２６が頭部を押し上げるように作用するため、寝返りがし易くなる。
【００９３】
側頭部受面部５、５に頭部が載置されると、頭部の荷重により外側部伸縮構造２３の各曲り部２５ｂは伸長され、側頭部受面部５、５は頭部の形状に沿うように伸長して沈み変形する。このとき、側頭部受面部５、５は下部に備えた外側部復元バネ３０の弾発力により沈み変形が抑制されて側頭部受面部５、５は横臥時適合高さｈ２に保持される。
【００９４】
通常の均一高さ枕においては横臥時に頭部の高さが低すぎる場合があるが、本発明の枕１００では横臥時の頭部は常に横臥時適合高さｈ２に保持されるので、使用者は良好な睡眠を得ることができる。又、前記側頭部受面部５、５に載置する頭部は前記曲り部２５ｂと外側部復元バネ３０の弾性によって柔らかく保持されるようになり、更に、弾力的に支持されているために頭部は動かすことができる。又、前記側頭部受面部５、５に頭部が載置された横臥時の姿勢から寝返りをうって仰臥時の姿勢に変わることにより頭部が再び後頭部受面部４の位置に来ると、後頭部受面部４は頭部の荷重により沈み変形して再び仰臥時適合高さｈ１に保持される。このとき、後頭部が後頭部受面部４に対して中心Ｏ１から多少ずれて載置されても、後頭部受面部４が沈み変形されることにより後頭部は後頭部受面部４の中心Ｏ１の方向へ位置が修正されるようになる。
【００９５】
ここで、仰向の姿勢から寝返りをうって横臥の姿勢になった時の頭部の位置について調査したところ、後頭部受面部４の中心Ｏ１に位置していた頭部の中心は約１００〜１４０ｍｍ前後の距離で側頭部受面部５、５へ移動することが判明した。従って、寝返りをうって横臥の姿勢になった時の頭部は常に側頭部受面部５、５に載置されるようになる。
【００９６】
又、本発明の枕１００は、横臥の姿勢で頭部が後頭部受面部４に位置される状態が発生しても後頭部受面部４は仰臥時適合高さｈ１に沈み変形しないことが判明した。頭部の形状は、頭幅に対して前後頭長が大きく、更に側頭部は後頭部の形状に比して突出が小さい平坦な形状となっている。従って、側頭部の荷重は後頭部受面部４の中心Ｏ１を押すように作用できないため、後頭部受面部４は仰臥時適合高さｈ１に沈み変形することができない。又、側頭部の荷重が側頭部受面部５、５と後頭部受面部４との境界部分に作用した場合には、後頭部受面部４の境界付近の曲り部２５ａにはモーメント力と引張り力が作用しないために該曲り部２５ａは伸長されにくく、よって後頭部受面部４は沈み変形することができない。従って、後頭部受面部４に対して横臥の姿勢で側頭部が載置されることが生じても、頭部は略横臥時適合高さｈ２に保持されるようになる。
【００９７】
本発明の枕１００によれば、受本体１の少なくとも後頭部受面部４及び側頭部受面部５、５に設けた貫通口８により通気構造を有しており、更に、受本体１の下部には空間が形成されていて空気が通り抜けることができるので、後頭部受面部４及び側頭部受面部５、５に頭部を載置した際に、通気性が確保されて頭部が熱くなる感覚や汗をかいて湿ったりすることが低減される。更に、図１０、図１４ｂ、図１５ｂに示す後頭部受面部４及び側頭部受面部５、５には、上下方向へ湾曲した曲り部２５ａ、２５ｂによる前記中央部伸縮構造２２及び外側部伸縮構造２３を備えているので、頭部は面接触ではなく点接触に近い状態で支持されるようになる。更に、受本体１の下部には空間が形成されているため、受本体１の下面に香料を収容したケース等を取り付けることができ、これにより就寝時のリラックス効果を得ることができる。
【００９８】
本発明の枕１００においては、枕１００の下側にタオル等を敷くことにより前記側頭部受面部５、５の横臥時適合高さｈ２と後頭部受面部４の仰臥時適合高さｈ１を高くする調節を容易に行うことができる。又、横臥時適合高さｈ２が使用者に適合しない場合には、図８ａ、図８ｂに示す支持脚３に設けた高さ調節部材１６を高さが異なるものに取り換えることにより、任意の横臥時適合高さｈ２に調節することができる。又、仰臥時適合高さｈ１が使用者に適合しない場合には、図１０、図１２、図１３、図１８に示すベース本体２に設けた高さ保持材４１の高さ(厚さ)が異なるものに取り換えることにより、任意の仰臥時適合高さｈ１に調節することができる。
【００９９】
尚、本発明の枕１００を構成する受本体１、ベース本体２及び支持脚３の形状、構造及び材料は、図示及び前記説明に限定されることなく変更できること、その他、本発明の要旨を逸脱しない範囲内において種々変更を加え得ることは勿論である。
【産業上の利用可能性】
【０１００】
本発明の枕は、仰臥時と横臥時のいずれにおいても頭部を好適な高さに保持することができ、しかも、通気性が保持されるため、常に良好な使用感を得ることができる。
【符号の説明】
【０１０１】
１    受本体
２    ベース本体
３    支持脚
３ａ〜３ｄ    支持脚
３ａ'〜３ｄ'支持脚
４    後頭部受面部
５    側頭部受面部
６    外周強度部
８    貫通口
１１    嵌合凸部
１２    嵌合凹部
１６    高さ調節部材
２２    中央部伸縮構造
２３    外側部伸縮構造
２５ａ    曲り部
２５ｂ    曲り部
２６    中央部復元バネ
２６ａ    テーパ押しバネ(押しバネ)
２６ｂ    コイル押しバネ(押しバネ)
３０    外側部復元バネ
３０ａ    コイル押しバネ(押しバネ)
３８ａ    引きバネ
３８ｂ    引きバネ
４１    高さ保持材
４２    中央受部
４３    外側受部
４４    支持脚
４５    被覆材
１００    枕
ｈ１    仰臥時適合高さ
ｈ２    横臥時適合高さ
Ｓ１    曲り高さ
Ｓ２    曲り高さ
Ｏ１    中心
Ｏ２    中心
Ｘ    左右方向
【要約】      （修正有）【課題】仰臥時と横臥時のいずれにおいても頭部を好適な高さに保持でき、しかも、通気性を保持できる枕を提供する。【解決手段】後頭部受面部４と後頭部受面部４を挟んで左右に位置する側頭部受面部５、５の外周が外周強度部６により支持され、貫通口により通気構造を有する受本体１と、受本体１に対峙するベース本体２と、受本体１をベース本体２に固定する支持脚を有する。後頭部受面部４には、仰臥時適合高さｈ１に沈み変形できる中央部伸縮構造２２と、後頭部受面部４を沈み変形する前の状態に戻す中央部復元バネ２６を備える。側頭部受面部５、５には、横臥時適合高さｈ２に沈み変形できる外側部伸縮構造２３と、側頭部受面部５、５を沈み変形する前の状態に戻す外側部復元バネ３０を備える。【選択図】図１０【図１】
0005976150.tif 000002
【図２】
0005976150.tif 000003
【図３】
0005976150.tif 000004
【図４】
0005976150.tif 000005
【図５】
0005976150.tif 000006
【図６】
0005976150.tif 000007
【図７ａ】
0005976150.tif 000008
【図７ｂ】
0005976150.tif 000009
【図８ａ】
0005976150.tif 000010
【図８ｂ】
0005976150.tif 000011
【図９】
0005976150.tif 000012
【図１０】
0005976150.tif 000013
【図１１】
0005976150.tif 000014
【図１２】
0005976150.tif 000015
【図１３】
0005976150.tif 000016
【図１４ａ】
0005976150.tif 000017
【図１４ｂ】
0005976150.tif 000018
【図１５ａ】
0005976150.tif 000019
【図１５ｂ】
0005976150.tif 000020
【図１６】
0005976150.tif 000021
【図１７】
0005976150.tif 000022
【図１８】
0005976150.tif 000023
【図１９】
0005976150.tif 000024
【図２０】
0005976150.tif 000025
【図２１】
0005976150.tif 000026
【図２２】
0005976150.tif 000027